(57)【要約】【課題】費用や労力を節約することができる遊技機の表示装置を提供すること。【解決手段】表示窓を有するパネルと、前記表示窓にリール帯の周方向に連続するシンボルが表れるように回転するリールを有するリールユニットと、前記リールの停止時、入賞ライン上の前記シンボルに対して照射する光源を備え、かつ、前記パネルの背後に配設された前記リールユニットの反射ボックスとを備えた遊技機の表示装置に於いて、前記反射ボックスの前面開口部に、前記リールに貼付されるリール帯のシンボルＳの大きさに対応する照射範囲制限窓を有するシンボル用キャップを、選択的に取り外し可能に取り付けたことを特徴とする遊技機の表示装置。【選択図】  図５
2005000495.tif 000002
【特許請求の範囲】
【請求項１】
表示窓を有するパネルと、前記表示窓にリール帯の周方向に連続するシンボルが表れるように回転するリールを有するリールユニットと、前記リールの停止時、入賞ライン上の前記シンボルに対して照射する光源を備え、かつ、前記パネルの背後に配設された前記リールユニットの反射ボックスとを備えた遊技機の表示装置に於いて、前記反射ボックスの前面開口部に、前記リールに貼付されるリール帯のシンボルＳの大きさに対応する照射範囲制限窓を有するシンボル用キャップを、選択的に取り外し可能に取り付けたことを特徴とする遊技機の表示装置。
【請求項２】
請求項１に於いて、リール帯のシンボルのサイズに対応して設定された一つのシンボル用キャップ２２の照射範囲制限窓３１の照射範囲Ｌ１と、他のシンボル用キャップ２２Ａの照射範囲制限窓３１Ａの照射範囲Ｌとは、式、Ｌ＞Ｌ１の関係であることを特徴とする遊技機の表示装置。
【請求項３】
請求項１に於いて、シンボル用キャップは、反射ボックスに係脱自在に嵌着することを特徴とする遊技機の表示装置。
【請求項４】
表示窓を有するパネルと、前記表示窓にリール帯の周方向に連続するシンボルが表れるように回転するリールを有するリールユニットと、前記リールの停止時、入賞ライン上の前記シンボルに対して照射する光源を上下方向に複数個備え、かつ、前記パネルの背後に配設された前記リールユニットの反射ボックスとを備えた遊技機の表示装置に於いて、前記反射ボックスの前面開口部に、前記リールに貼付されるリール帯のシンボルＳの大きさに対応する複数個の照射範囲制限窓を有すると共に、前記光源の位置に対応して複数個の反射室を形成する仕切り板を有するシンボル用キャップを、選択的に取り外し可能に取り付けたことを特徴とする遊技機の表示装置。
【請求項５】
請求項４に於いて、シンボル用キャップは、反射ボックスに係脱自在に嵌着することを特徴とする遊技機の表示装置。
【請求項６】
請求項４に於いて、各仕切り板の左右端部には、反射ボックス２１の左右の側壁２３．２３が入り込む左右一対の切欠部３３．３３が形成されていることを特徴とする遊技機の表示装置。
【発明の詳細な説明】
【０００１】
【発明の属する技術分野】
本発明は、リール帯に描かれた連続する図柄を背後から照明する光源を反射枠（照射ボックス或いは反射ボックス）に備えた遊技機の表示装置に関する。
【０００２】
【従来の技術】
先行技術開示義務として、特開２００３−６２１５２号公報、特開２００３−２９６７４号公報を記載する。  遊技機としてスロットマシンを例にして説明する。図１はスロットマシンの正面中央のパネル１を示す。一方、図２は正面中央のパネル１の背後に配設されたリールユニットの一つ（ここでは「第１リールユニット」とする。）２を示す一部破断の斜視図である。
【０００３】
図１で示すように、パネル１に合計３個の縦長の表示窓３，４，５が横に並列状態に形成されており、これら各表示窓３，４，５の背後には合計３個のリールユニットがそれぞれ設置されている。説明の便宜上、左側の表示窓３からリール帯（シンボルストリップ）が見えるリールを備えた部材を第１リールユニット２、中央の表示窓４からリール帯が見えるリールを備えた部材を第２リールユニット６、右側の表示窓５からリール帯が見えるリールを備えた部材を第３リールユニット７とする。
【０００４】
普通一般に第１リールユニット２は、他のリールユニットと同一構成をしているので、図２を参照にしてリールユニットの構造を説明する。
第１リールユニット２を構成するリール１０は、周方向にリール帯１１を有している。該リール帯１１には、円周方向に沿って、「７」、「☆」、「ＢＡＲ」などの種々の図柄Ｓが所定間隔で区分して描かれている。遊技機には、リール１０が停止した時、他の停止リールの図柄Ｓとの関係で、例えば第１〜第５の入賞ラインが設定されている。
【０００５】
またリール１０の内部には、前面開口の反射ボックス（照射ボックス）１２が設けられている。この反射ボックス１２の内部空間は、例えば図２及び図３で示すように、間仕切り１２ａ，１２ｂによって３つの反射室１３．１４．１５に仕切られている。それぞれの反射室１３．１４．１５には光源としてのランプ（例えば発光ダイオード）１６が固定的に設けられている。これらのランプ或いは発光体１６は、リール帯１１に描かれた連続する３個の各図柄Ｓを背後から照らし、各表示窓３，４，５に３個の図柄を映し出す（図１参照）。
【０００６】
ところで、普通一般に、同じ外径寸法のリールを用いてスロットマシンの表示装置を構成する場合、図３で示すように、反射ボックス１２の各反射室１３．１４．１５の開口寸法ａ．ａ．ａに対応してリール帯１１の各図柄Ｓの大きさや区分間隔が決まっている。すなわち、各反射室１３．１４．１５の開口寸法ａ．ａ．ａに対応してリール帯１１の各図柄Ｓに対する各ランプ１６の照射範囲Ｌ。Ｌ．Ｌが一義的に設定されている。換言すれば、反射枠の開口の大きさに対応して図柄Ｓの大きさが決まる、または図柄Ｓの大きさに対応して反射枠の開口の大きさが決まる。これをここでは「Ｌ＝ａ」の関係という。
【０００７】
したがって、今かりに、図４で示すように、同じ外径寸法のリールを用いることを前提にして、各図柄Ｓが比較的小さくかつ区分間隔も多いリール帯１１ａから、各図柄Ｓが比較的大きくかつ区分間隔も比較的少ないリール帯１１ｂに変更する場合、小さい方の照射範囲Ｌ１に適合する開口寸法ａ１を有する反射ボックス１２Ａから、大きい方の照射範囲Ｌに適合する開口寸法ａを有する反射ボックス１２に変更する必要がある。一方、その逆の場合には、反射ボックス１２を反射ボックス１２Ａへと変更する必要がある。
【０００８】
その理由は、この種の表示装置に於いては、遊技者の視覚に対してシンボル（図柄）が見やすく、かつ、違和感を与えないようにするためには、複数個のリール帯１１ａ、１１ｂの各シンボルＳのサイズに対応して適当な照射範囲用開口を有する反射ボックス１２．１２Ａ…をその都度製作する必要があるからである。しかし、複数個のリール帯１１ａ、１１ｂの各シンボルＳのサイズに対応して反射ボックス１２．１２Ａ…をそれぞれ製作し、かつ、取り替えることは、費用と労力が必要である。そこで、このような問題点（組み立て作業能率の向上、コストの低減化）を解決する必要がある。
【０００９】
【発明が解決しようとする課題】
本発明の第１の目的は、複数個のリール帯１１ａ、１１ｂの各シンボルＳのサイズに対応して複数個の反射ボックスを選択的に反射ボックス（照射ボックス）に嵌着することによって、費用や労力を節約することができる遊技機の表示装置を提供すること。第２の目的は、同一の被嵌合体（反射ボックス）に対して照射範囲制限窓を有するシンボル用キャップを簡単に反射ボックスに取り付け及び取り外しすることができること。これにより、シンボルに対する照射範囲を簡単に変更することができる。第３の目的は、キャップが取り付けられる方の被嵌合体をシンプルな構造にすることができること。第４の目的は、シンボルをより浮き彫りに映し出すことができること。その他安価な費用で各種の遊技機の表示装置に適用することができることである。
【００１０】
【課題を解決するための手段】
前述の目的を達成するために、本発明の遊技機の表示装置は、表示窓を有するパネルと、前記表示窓にリール帯の周方向に連続するシンボルが表れるように回転するリールを有するリールユニットと、前記リールの停止時、入賞ライン上の前記シンボルに対して照射する光源を備え、かつ、前記パネルの背後に配設された前記リールユニットの反射ボックスとを備えた遊技機の表示装置に於いて、前記反射ボックスの前面開口部に、前記リールに貼付されるリール帯のシンボルＳの大きさに対応する照射範囲制限窓を有するシンボル用キャップを、選択的に取り外し可能に取り付けたことを特徴とする。
【００１１】
また、本発明の遊技機の表示装置は、表示窓を有するパネルと、前記表示窓にリール帯の周方向に連続するシンボルが表れるように回転するリールを有するリールユニットと、前記リールの停止時、入賞ライン上の前記シンボルに対して照射する光源を上下方向に複数個備え、かつ、前記パネルの背後に配設された前記リールユニットの反射ボックスとを備えた遊技機の表示装置に於いて、前記反射ボックスの前面開口部に、前記リールに貼付されるリール帯のシンボルＳの大きさに対応する複数個の照射範囲制限窓を有すると共に、前記光源の位置に対応して複数個の反射室を形成する仕切り板を有するシンボル用キャップを、選択的に取り外し可能に取り付けたことを特徴とする。
【００１２】
【発明の実施の形態】
以下、本発明の第１実施例を図５乃至図８に基づいて説明する。なお、従来例と機能的に同一の部材、表示窓等には、説明の便宜上、同一または同様の符号を付している。この遊技機の表示装置２０のは、少なくとも一つ表示窓を有するパネル１と、複数個の光源１６を備えた前面開口の反射ボックス２１と、この反射ボックス２１の開口部に、従来技術の欄で説明したリール帯のシンボルＳの大きさに対応して選択的に取り外し可能に取り付けられる複数個のシンボル用キャップ２２または／及び２２Ａと、リール１０に貼付された複数枚の前記リール帯１１ａまたは／及び１１ｂとを備えている。
【００１３】
本実施例では、表示装置２０の横方向に並列した複数個（例えば合計３個）のリールユニットの各反射ボックス２１に、リール帯１１ａのシンボルＳのサイズに対応するシンボル用キャップ２２をそれぞれ嵌着した場合、または表示装置２０´の横方向に並列した複数個（例えば合計３個）の反射ボックス２１に、リール帯１１ｂのシンボルＳのサイズに対応するシンボル用キャップ２２Ａをそれぞれ嵌着した場合を例にして説明するが、この点に関しては、後述する実施例の欄で記載しているように、１台の遊技機の表示装置２０に、照射範囲の異なるシンボル用キャップ２２．２２Ａを、前記リール帯１１ａ及びリール帯１１ｂに対応させて組み合わせても良い。
【００１４】
なお、表示装置２０のリール１０は、ステッピングモータ８により回転する点、光源１６は図示しない制御手段の制御信号により発光する点など遊技機の表示装置２０に必要な各機能は従来技術と同一なので割愛している。ここでは、本発明の主要部（ポイント）に絞って説明する。
【００１５】
まず、反射ボックス（照射ボックス）２１は、従来の反射ボックス１２（及び別途製作される反射ボックス１２Ａ）と同様に内部空間を有するが、２枚の水平な仕切り板を有しない点で異なる。従来の反射ボックス１２（１２Ａ）は、それ自体に間仕切り１２ａ，１２ｂが設けられているので、例えば合計３つの反射室１３．１４．１５を有している。
【００１６】
これに対し、本実施例の反射ボックス２１は、それ自体に３つの反射室１３．１４．１５を有しておらず、例えば２枚の水平な仕切り板２２ａ，２２ｂを有するシンボル用キャップ２２．２２Ａを選択的に嵌合（例えば係止状態に嵌着）することにより、前記３つの反射室１３．１４．１５が形成（いわば生成）される。
【００１７】
反射ボックス２１の発光ダイオード１６は、形成された各反射室１３．１４．１５に単数または複数個配設された格好になる。本実施例では説明の便宜上、表示装置２０の各反射室１３．１４．１５にそれぞれ１個設けている。
【００１８】
これらの発光ダイオード１６は、リール１０の停止時、リールに貼り付けられた当該リール帯１１ａ、１１ｂの連続的な図柄Ｓを背後から照らし、例えば表示窓３に位置する入賞ライン上の図柄Ｓの一つを浮彫りに映し出す。
【００１９】
反射ボックス２１の左右の側壁２３．２３の開口縁部は、弧状に形成されている。また、反射ボックス２１の上下の壁２４．２４の開口縁部寄りの部位には、複数個の係合部（例えば小突起）２５が形成されている。後壁２６は垂直である。
【００２０】
次に、選択的なシンボル用キャップ２２．２２Ａは、例えば合成樹脂を材料により嵌合枠状に形成される。前述したようにシンボル用キャップ２２．２２Ａは、それぞれ各反射室１３．１４．１５を生成する水平な仕切り板２２ａ，２２ｂを有する。
【００２１】
本実施例では、各仕切り板２２ａ，２２ｂは、前壁３０から水平状態に延び、矩形状開口の後端面から突出している。各仕切り板２２ａ，２２ｂの突出長さは任意に設定することができるが、望ましくは、キャップ２２．２２Ａを反射ボックス２１に嵌合した場合に於いて、その挿入先端面が反射ボックス２１の後壁２６の内壁面２６ａに到達（接触）する長さである。そして、各仕切り板２２ａ，２２ｂの左右端部には、反射ボックス２１の左右の側壁２３．２３が入り込む左右一対の切欠部３３．３３が形成されている（図６参照）。
【００２２】
また、シンボル用キャップ２２．２２Ａは、リール或いはリール帯の回転方向に整列した複数個の照射範囲制限窓３１．３１Ａを有している。この照射範囲制限窓３１．３１Ａは、用語のとおり、それぞれ各シンボルＳに対する照射範囲を制限する開口であり、前述したように、ａ＝Ｌ（開口大）、ａ１＝Ｌ１（開口小）の関係にある。
【００２３】
本実施例では、図８で示すとおり、一つのシンボル用キャップ２２の照射範囲制限窓３１は、各図柄Ｓが比較的小さくかつ区分間隔の数も多いリール帯１１ａに適合するように「符号Ｌ１（ここではリール帯１１ａの図柄Ｓに対する照射範囲）」に設定されている。リール帯１１ａの各図柄Ｓが小さくかつ間隔が狭くなるにしたがって第１入賞ラインに対して第２入賞ライン及び第３入賞ラインをそれぞれ接近させる必要があるので、上下方向の前記３個の範囲制限窓３１の各照射範囲Ｌ１．Ｌ１．Ｌ１は、第１〜第３入賞ラインを基準にして形成されている。
【００２４】
したがって、他のシンボル用キャップ２２Ａの照射範囲制限窓３１Ａもリール帯１１ｂの各図柄Ｓの大きさに適合するように形成されている。すなわち、シンボル用キャップ２２Ａの照射範囲制限窓３１Ａは、各図柄Ｓが比較的大きくかつ区分間隔の数も比較的少ないリール帯１１ｂに適合するように「符号Ｌ（ここではリール帯１１ｂの各図柄Ｓに対する照射範囲）」に設定されている。
【００２５】
リール帯１１ｂの各図柄Ｓが大きくかつ間隔が広くなるにしたがって第１入賞ラインに対して第２入賞ライン及び第３入賞ラインをそれぞれ遠ざける必要があるので、上下方向の前記３個の範囲制限窓３１Ａの各照射範囲Ｌ．Ｌ．Ｌは、第１〜第３入賞ラインを基準にしてやや大きめに形成されている。それ故に、式、符号Ｌ＞符号Ｌ１の関係が成立する。
【００２６】
ところで、シンボル用キャップ２２．２２Ａは、嵌められる方の反射ボックス２１に対して交換可能に嵌合係脱することから、反射ボックス２１の複数個の係合部（例えば小突起）２５と係合する複数個の被係合部（例えば小孔）３２を有している。
【００２７】
上記のように構成すると、リール帯１１ａ．１１ｂのシンボルＳのサイズに対応してシンボル用キャップ２２．２２Ａを選択的に反射ボックス２１に係合すれば良いから、遊技機の本体の方の反射ボックス２１を製作乃至交換する必要がなくなるという利点がある。また、反射ボックス２１の構造もシンプルなものとなる。
【００２８】
次に、図９乃至図１１に示す第２実施例について説明する。なお、第１実施例の表示装置２０と基本的な機能が同じ部材等には同一の符号を付して重複する説明を省略する。第２実施例の表示装置２０Ａについて主に異なる部分について説明すると、反射ボックス（照射ボックス）２１Ａは後壁側に１個の光源１６しか有しない点、これに対応してシンボル用キャップ２２Ｂ．２２Ｃは、それぞれ反射室を形成（生成）するための仕切り板を有しない点、キャップ２２Ｂ．２２Ｃは、１個の照射範囲制限窓３１Ｂ．３１Ｃしか有しない点である。
【００２９】
すなわち、本発明の目的は、遊技機の反射ボックス２１Ａをそのまま利用することを前提にしてリール帯１１ａ．１１ｂのシンボルＳのサイズに対応して複数個のシンボル用キャップを任意に交換することにあるから、反射ボックス２１の光源１６が１個の場合には、各シンボル用キャップ２２Ｂ．２２Ｃの照射範囲制限窓３１Ｂ．３１Ｃはそれぞれ１個となり、また、反射ボックス２１の光源１６が、例えば上下に２個ある場合は、各シンボル用キャップ２２Ｂ．２２Ｃの照射範囲制限窓３１．３１Ａは上下に配設された光源１６の位置に対応して２個となる。
【００３０】
なお、照射範囲制限窓が単数の場合には仕切り板は不要であるが、照射範囲制限窓が複数の場合には、各シンボルＳのサイズとの関係で、仕切り板は発明の特定要件となる。このように構成しても、第１実施例と同一の目的・効果を得ることができる。
【００３１】
【実施例】
本発明は、１台のゲーム機の反射ボックス２１を、シンボル用キャップに対して共用することにある。すなわち、本発明は、反射ボックス２１の前面開口部に、リールに貼付されるリール帯のシンボルＳの大きさに対応する照射範囲制限窓を有するシンボル用キャップを、選択的に取り外し可能に取り付けることを特徴とするから、１台のゲーム機の反射ボックス２１にシンボルＳのサイズの異なるリール帯１１ａ．１１ｂを使用する場合、１台のゲーム機の反射ボックス２１にシンボルＳのサイズの同一のリール帯１１ａ（或いはリール帯１１ｂ）のみ使用する場合、という具合にその使用方法は色々とあり得る。
【００３２】
第１実施例及び第２実施例に於いて、シンボル用キャップ（２２．２２Ａ．２２Ｂ．２２Ｃ）は、反射ボックス（２１．２１Ａ）に対して着脱自在に係合嵌着するが、要はリール帯１１ａ．１１ｂのシンボルＳのサイズに対応して複数個のシンボル用キャップを任意に交換することができれば良いから、シンボル用キャップ（２２．２２Ａ．２２Ｂ．２２Ｃ）を、固着具を介して反射ボックス（２１．２１Ａ）に取り外し可能に取り付けても良い。また、本発明は、パネル１に複数個の表示窓が形成されているスロットマシンを例にして説明したが、例えばパチンコ機やその他の表示装置にも適用することができる。また、３個のリールユニットを並列して構成した表示装置に限らず、例えば独立した回転するリールをマトリックス状に９個配置したスロットマシンやパチンコ機の表示装置にも適用することができ、配置したリールの数やその構成は限定されるものではない。
【００３３】
【発明の効果】
以上の説明から明らかなように、本発明にあっては、次に列挙するような効果がある。
（１）複数個のリール帯１１ａ、１１ｂの各シンボルＳのサイズに対応して複数個の反射ボックスを選択的に反射ボックスに嵌着することによって、費用や労力を節約することができる。つまり、従来例のように、リールユニット側の反射ボックスを別個に製作し、かつ、リールユニットに取り付ける必要がないので、製作費・取り外し・取り付け作業等の面の利点が非常に大きい。
（２）シンボル用キャップを簡単に反射ボックスに取り付け及び取り外しすることができる。特に、シンボル用キャップは照射範囲制限窓を有するので、照射範囲を簡単に変更することができると共に、光源の照射光を制限窓に集光させることができるので、シンボルをより浮き彫りに映し出すことができる。
（３）キャップが取り付けられる方の反射ボックスをシンプルな構造にすることができる。
（４）安価な費用で各種の遊技機の表示装置に適用することができる。
【図面の簡単な説明】
図１乃至図４は本発明の主要部との関連を示す従来技術の各説明図。図５乃至図８は本発明の第１実施例を示す各説明図。図９乃至図１１は本発明の第２実施例を示す各説明図。
【図１】独立して回転する並列リールのシンボルがパネルの表示窓から３個見える説明図。
【図２】リールユニットの一部破断説明図。
【図３】各シンボルに対する従来例の照射範囲の概略説明図。
【図４】シンボルのサイズが異なる場合に於いて、従来例の概略説明図。
【図５】第１実施例の主要部の説明図。
【図６】図５の６−６線断面図。
【図７】主要部の技術的思想を示す概略説明図。
【図８】シンボルのサイズが異なる場合に於いて、本発明の概略説明図。
【図９】第２実施例の主要部の説明図。
【図１０】図７と同様の概略説明図。
【図１１】図８と同様の説明図。
【符号の説明】
１…パネル、２．６．７…リールユニット、３．４．５…表示窓、８…ステッピングモータ、１０…リール、１１ａ、１１ｂ…リール帯、Ｓ…シンボル（図柄）、１２（１２Ａ）…反射ボックス、１３．１４．１５…反射室、１６…光源、２０．２０Ａ…表示装置、２１．２１Ａ…反射ボックス、２２．２２Ａ．２２Ｂ．２２Ｃ…シンボル用キャップ、２２ａ，２２ｂ…仕切り板、２４…上下の壁、２５…係合部、２６…後壁、３０…前壁、３１．３１Ａ．３１Ｂ．３１Ｃ…照射範囲制限窓、３２…被係合部、３３…切欠部、Ｌ．Ｌ１…ンボルＳに対する照射範囲、ａ＝Ｌ（開口大）、ａ１＝Ｌ１（開口小）。
【図１】
2005000495.tif 000003
【図２】
2005000495.tif 000004
【図３】
2005000495.tif 000005
【図４】
2005000495.tif 000006
【図５】
2005000495.tif 000007
【図６】
2005000495.tif 000008
【図７】
2005000495.tif 000009
【図８】
2005000495.tif 000010
【図９】
2005000495.tif 000011
【図１０】
2005000495.tif 000012
【図１１】
2005000495.tif 000013